(57)【特許請求の範囲】
【請求項１】
光源と、所定軸回りに反射面の角度を切り替え可能な駆動部を含む複数の反射素子が基板上にマトリクス状に配列された投影面を有し、前記光源から前記投影面に照射された光を、前記複数の反射素子により反射して外部に出射させるミラーデバイスと、を備える車両用灯具であって、
前記複数の反射素子のうち、前記外部に出射される光により構成される配光パターンのカットラインに対応する前記投影面の端部に位置する反射素子は、反射面における反射コーティングがなされている部分が散在し、反射面の全体が反射コーティングされている前記投影面の中央部に位置する反射素子より反射率が低い、
車両用灯具。
【請求項２】
光源と、所定軸回りに反射面の角度を切り替え可能な駆動部を含む複数の反射素子が基板上にマトリクス状に配列された投影面を有し、前記光源から前記投影面に照射された光を、前記複数の反射素子により反射して外部に出射させるミラーデバイスと、を備える車両用灯具であって、
前記複数の反射素子のうち、前記外部に出射される光により構成される配光パターンのカットラインに対応する前記投影面の端部に位置する反射素子は、反射面が相対的に反射率が低い材料で反射コーティングされ、反射面が相対的に反射率が高い材料で反射コーティングされる前記投影面の中央部に位置する反射素子より反射率が低い、
車両用灯具。
【発明の詳細な説明】
【技術分野】
【０００１】
本発明は、車両用灯具に関する。
【背景技術】
【０００２】
従来から、多数の微小な反射素子をマトリクス状に配置するミラーデバイス（ＤＭＤ：Ｄｉｇｉｔａｌ  Ｍｉｒｒｏｒ  Ｄｅｖｉｃｅ）を利用する車両用灯具が知られている。ミラーデバイス内の各反射素子は、所定軸回りに回転可能に支持されており、電圧が印加されない状態と印加される状態とで、光源に対する姿勢（反射面の角度）を個別に変化させることができる。そのため、光源からミラーデバイスの投影面に照射された光を各反射素子がその姿勢（反射面の角度）に応じて、投影レンズに反射したり、投影レンズに反射しないようにしたりすることが可能となるため、投影レンズを通して、車両用灯具から出射される光束を自在に変更することができる。
【０００３】
このようなミラーデバイスを利用する車両用灯具について、ミラーデバイスの投影面（反射素子が配置される部分）の境界線に起因する明部（光が照射される領域）と暗部（光が照射されない領域）の境界線（以下、カットラインと称する）を目立ちにくくする技術が知られている（例えば、特許文献１）。
【０００４】
特許文献１では、ミラーデバイスにおける投影面の端部に位置する反射素子の角度を所定のデューティ比で、投影レンズに出射する状態と投影レンズに出射しない状態とを繰り返し変更する（反射素子に電圧を印加しない状態と印加する状態とを所定のデューティ比で繰り返し変更する）。これにより、車両用灯具から出射される配光パターンの外縁を暗くすることができるため、カットラインを目立ちにくくすることができる。
【０００５】
なお、本願における"カットライン"は、ミラーデバイスの投影面の境界線に起因するカットライン（ミラーデバイスに含まれる全反射素子が照射された光を投影レンズに出射するノミナル状態におけるカットライン）を意味し、光源からの光を投影レンズに出射しないように、反射素子の姿勢を切り替えて配光パターンを変更する場合におけるカットラインは含まない。
【先行技術文献】
【特許文献】
【０００６】
【特許文献１】特開２０１４−５６７４６号公報
【発明の概要】
【発明が解決しようとする課題】
【０００７】
しかしながら、特許文献１の技術では、ミラーデバイスに含まれる反射素子のうち、端部に位置する反射素子は、車両用灯具が点灯する場合、常に、反射面の角度を変更し続ける必要があるため、反射面の角度を変化させる駆動部への負担が大きくなり、反射素子の故障や寿命低下を招くおそれがある。
【０００８】
そこで、上記課題に鑑み、ミラーデバイスにおける反射素子の駆動部への負担を増加させることなく、カットラインを目立ちにくくすることが可能な車両用灯具を提供することを目的とする。
【課題を解決するための手段】
【０００９】
上記目的を達成するため、一実施形態において、車両用灯具は、
光源と、所定軸回りに反射面の角度を切り替え可能な駆動部を含む複数の反射素子が基板上にマトリクス状に配列された投影面を有し、前記光源から前記投影面に照射された光を、前記複数の反射素子により反射して外部に出射させるミラーデバイスと、を備える車両用灯具であって、
前記複数の反射素子のうち、前記外部に出射される光により構成される配光パターンのカットラインに対応する前記投影面の端部に位置する反射素子は、反射面における反射コーティングがなされている部分が散在し、反射面の全体が反射コーティングされている前記投影面の中央部に位置する反射素子より反射率が低い。
また、他の実施形態において、車両用灯具は、
光源と、所定軸回りに反射面の角度を切り替え可能な駆動部を含む複数の反射素子が基板上にマトリクス状に配列された投影面を有し、前記光源から前記投影面に照射された光を、前記複数の反射素子により反射して外部に出射させるミラーデバイスと、を備える車両用灯具であって、
前記複数の反射素子のうち、前記外部に出射される光により構成される配光パターンのカットラインに対応する前記投影面の端部に位置する反射素子は、反射面が相対的に反射率が低い材料で反射コーティングされ、反射面が相対的に反射率が高い材料で反射コーティングされる前記投影面の中央部に位置する反射素子より反射率が低い。
【００１０】
一実施形態によれば、カットラインに対応する投影面の端部に位置する反射素子は、投影面の中央部に位置する反射素子より反射率が低いものが採用される。従って、車両用灯具から外部に照射される配光パターンにおける外縁を暗くすることができるため、カットラインを目立たないようにすることができる。また、ミラーデバイスの投影面の端部に位置する反射素子と中央部に位置する反射素子とで、予め反射率が異なるように構成するため、従来技術のように、一部の反射素子の駆動部における負担を増加させるようなこともない。
【発明の効果】
【００１１】
本実施形態によれば、ミラーデバイスにおける反射素子の駆動部への負担を増加させることなく、カットラインを目立ちにくくすることが可能な車両用灯具を提供することができる。
【図面の簡単な説明】
【００１２】
【図１】前照灯の構成の一例を概略的に示す図である。
【図２】第１実施形態に係るミラーデバイスの構成の一例を概略的に示す図である。
【図３】ミラーデバイスに含まれる各反射素子の投影面の構成の一例を示す図である。
【図４】ミラーデバイスに含まれる各反射素子の投影面の構成の他の例を示す図である。
【図５】ミラーデバイスに含まれる各反射素子の投影面の構成の更に他の例を示す図である。
【図６】車両前方の鉛直投影面に照射された前照灯の配光パターンの一例を表す図である。
【図７】第２実施形態に係るミラーデバイスの構成の一例を概略的に示す図である。
【図８】図７に示すミラーデバイスを含む前照灯の配光パターンの一例を表す図である。
【図９】第２実施形態に係るミラーデバイスの構成の他の例を概略的に示す図である。
【図１０】図９に示すミラーデバイスを含む前照灯の配光パターンの一例を表す図である。
【図１１】第２実施形態に係るミラーデバイスの構成の更に他の例を概略的に示す図である。
【図１２】図１１に示すミラーデバイスを含む前照灯の配光パターンの一例を表す図である。
【発明を実施するための形態】
【００１３】
以下、図面を参照して発明を実施するための形態について説明する。
【００１４】
［第１実施形態］
図１は、本実施形態に係る前照灯１（車両用灯具の一例）の構成の一例を概略的に示す図である。前照灯１は、車両に搭載され、例えばＬＥＤ（Ｌｉｇｈｔ−Ｅｍｉｔｔｉｎｇ  Ｄｉｏｄｅ）である光源１０と、光源からの光を投影する投影面２１を有するミラーデバイス２０と、ミラーデバイス２０の投影面２１で反射された光源１０からの光を車両前方に照射する投影レンズ３０を含む。前照灯１は、車両前端の左側に配置される前照灯１Ｌと、車両前端の右側に配置される前照灯１Ｒを含む。
【００１５】
なお、本実施形態において、前照灯１Ｒ，１Ｌの構成は、同一であり、前照灯１Ｒ，１Ｌの双方から車両前方に照射される配光パターン（車両前方の仮想的な鉛直投影面に形成される照射領域のパターン）も同一であるため、特に断らない限り、左右の区別をせず、前照灯１についての説明を行う。また、以下の説明において、「前」、「後」、「左」、「右」、「上」、及び「下」の方向は、前照灯１が搭載される車両における前、後、左、右、上、及び下を意味する。
【００１６】
前照灯１は、光源１０からミラーデバイス２０の投影面２１に光を照射することで、投影面２１を構成する反射素子２３（図２参照）が、光源１０からの光を投影レンズ３０に反射させ、投影レンズ３０を通して、外部（車両前方）に出射させる。
【００１７】
なお、図１に示すように、投影レンズ３０は、投影面２１の反射素子２３で反射された光の上下左右を反転させて前方に出射する。
【００１８】
図２は、本実施形態に係るミラーデバイス２０の構成の一例を示す図である。具体的には、前照灯１Ｒ，１Ｌのそれぞれに含まれるミラーデバイス２０を車両前方から見た概略的な正面図である。
【００１９】
ミラーデバイス２０の投影面２１は、基板２２上にマトリクス状に配列された複数の反射素子２３により構成される。本実施形態では、縦１０×横１０の合計１００個の反射素子２３により投影面２１が構成される具体例について説明する。
【００２０】
なお、ミラーデバイス２０に含まれる反射素子２３の個数は、任意であってよく、実装上、数万個から数百万個に設定される場合が多い。
【００２１】
反射素子２３は、所定軸回りで回転可能に支持される。反射素子２３は、電圧の印加により駆動する公知の駆動部（不図示）を含み、駆動部の作用により、電圧が印加される状態と印加されない状態とで、かかる所定軸回りに２態様の姿勢（反射角度）で静止することができる。これにより、光源１０から照射される光を投影レンズ３０に出射させる反射角度と、光源１０から照射される光を投影レンズ３０に出射させない反射角度の２態様で反射素子２３を静止させることができるようになるため、各反射素子２３の反射角度を個別に切り替えることにより、投影レンズ３０から車両前方に出射する光束を自在に変更することができる。以下、各反射素子２３に対して、縦１０×横１０のマトリクスにおける上から第１列目、第２列目、...、第１０列目の順に、各列の左から右へ向けて、２３−１、２３−２、２３−３、...、２３−９８、２３−９９、２３−１００の順で符号を付して区別する。
【００２２】
なお、以下では、全ての反射素子２３が、光源１０から照射される光を投影レンズ３０に出射させる状態（ノミナル状態）であることを前提に説明を行う。
【００２３】
反射素子２３−ｉ（ｉ＝１，２，...，１００）は、投影面２１における配置位置に応じて、反射率が異なる。
【００２４】
図２に示すように、投影面２１は、中央領域２１１、中間領域２１２、外端領域２１３を含む。中央領域２１１は、縦８×横８の反射素子２３−ｉ（ｉ＝２３〜２８，３３〜３８，４３〜４８，５３〜５８，６３〜６８，７３〜７８）のマトリクス部分に相当する領域である。また、中間領域２１２は、中央領域２１１の外周に位置する１列分の反射素子２３−ｉ（ｉ＝１２〜１９，２２，２９，３２，３９，４２，４９，５２，５９，６２，６９，７２，７９，８２〜８９）に相当する領域である。また、外端領域２１３は、投影面２１の端部に位置する１列分の反射素子２３−ｉ（ｉ＝１〜１１，２０，２１，３０，３１，４０，４１，５０，５１，６０，６１，７０，７１，８０，８１，９０〜１００）に相当する領域である。以下、中央領域２１１に位置する反射素子２３−ｉ（ｉ＝２３〜２８，３３〜３８，４３〜４８，５３〜５８，６３〜６８，７３〜７８）のうち、任意の何れかを反射素子２３−ｐと称する。また、中間領域２１２に位置する反射素子２３−ｉ（ｉ＝１２〜１９，２２，２９，３２，３９，４２，４９，５２，５９，６２，６９，７２，７９，８２〜８９）のうち、任意の何れかを反射素子２３−ｑと称する。また、外端領域２１３に位置する反射素子２３−ｉ（ｉ＝１〜１１，２０，２１，３０，３１，４０，４１，５０，５１，６０，６１，７０，７１，８０，８１，９０〜１００）のうち、任意の何れかを反射素子２３−ｒと称する。
【００２５】
反射素子２３−ｐ，２３−ｑ，２３−ｒのうち、中央領域２１１に位置する反射素子２３−ｐの反射率が最も高く、その次に、中間領域２１２に位置する反射素子２３−ｑの反射率が高く、外端領域２１３に位置する反射素子２３−ｒの反射率が最も低い。即ち、反射素子２３−ｉの反射率は、投影面２１の中央部から外端部に向かうにつれて、低くなる。以下、図３〜図５を参照して、反射素子２３−ｐ，２３−ｑ，２３−ｒの反射率を異ならせる具体的な手法について説明する。
【００２６】
図３は、各反射素子２３−ｉの構成の一例を示す図である。具体的には、図３（ａ）は、反射素子２３−ｐの構成の一例を表し、図３（ｂ）は、反射素子２３−ｑの構成の一例を表し、図３（ｃ）は、反射素子２３−ｒの構成の一例を表す。
【００２７】
図３（ａ）に示すように、反射素子２３−ｐは、光源１０からの光が照射される略正方形の表面（以下、単に表面と称する）の全てが反射コーティングされている（図中の梨地部分）。
【００２８】
また、図３（ｂ）に示すように、反射素子２３−ｑは、表面のうち、外周の各辺から所定距離Ｌ１の部分（外周部分）に反射コーティングがなされず（図中の白地部分）、かかる外周部分を除く中央部のみ反射コーティングがなされている（図中の梨地部分）。
【００２９】
また、図３（ｃ）に示すように、反射素子２３−ｒは、表面のうち、反射素子２３−ｑよりも更に広い、外周の各辺から所定距離Ｌ２（＞Ｌ１）の部分（外周部分）に反射コーティングがなされず（図中の白地部分）、かかる外周部を除く中央部のみ反射コーティングがなされている（図中の梨地部分）。
【００３０】
即ち、反射素子２３−ｐの表面における反射コーティング面積が最も広く、その次に、反射素子２３−ｑの表面における反射コーティング面積が広く、反射素子２３−ｒの表面における反射コーティング面積が最も狭い。これにより、反射素子２３−ｐの反射率を最も高くし、反射素子２３−ｑ，２３−ｒの順で、その反射率を小さくしていくことができる。
【００３１】
なお、反射素子２３−ｐ，２３−ｑ，２３−ｒの反射コーティングの材料は、全て同一であり、例えば、銀、アルミ、ロジウム等である。
【００３２】
続いて、図４は、各反射素子２３−ｉの構成の他の例を示す図である。具体的には、図４（ａ）は、反射素子２３−ｐの構成の他の例を表し、図４（ｂ）は、反射素子２３−ｑの構成の他の例を表し、図４（ｃ）は、反射素子２３−ｒの構成の他の例を表す。
【００３３】
本例では、図３に示す例と同様、反射コーティングの面積を異ならせることにより、反射素子２３−ｐ，２３−ｑ，２３−ｒの反射率を異ならせる。
【００３４】
図４（ａ）に示すように、反射素子２３−ｐは、図３（ａ）と同様、表面の全てが反射コーティングされている（図中の梨地部分）。
【００３５】
また、図４（ｂ）に示すように、反射素子２３−ｑは、図３（ｂ）と同様、表面の一部が反射コーティングされるが、反射コーティング部分（図中の梨地部分）が分散している。具体的には、略正方形の反射コーティング部分が、反射素子２３−ｑの表面に縦５×横５のマトリクス状に等間隔で配置されている。
【００３６】
なお、図４（ｂ）における分散された反射コーティング部分の合計面積は、図３（ｂ）に示す反射素子２３−ｑにおける反射コーティング部分の面積と略同一である。
【００３７】
また、図４（ｃ）に示すように、反射素子２３−ｒは、図３（ｃ）と同様、表面の一部が反射コーティングされるが、図４（ｂ）と同様、反射コーティング部分（図中の梨地部分）が分散している。具体的には、反射素子２３−ｑよりも小さい略正方形の反射コーティング部分が、反射素子２３−ｒの表面に縦５×横５のマトリクス状に等間隔で配置されている。
【００３８】
なお、図４（ｃ）における分散された反射コーティング部分の合計面積は、図３（ｃ）における反射コーティング部分の面積と略同一である。
【００３９】
このように、反射コーティング面積を異ならせる場合、反射コーティング部分は、反射素子２３−ｑ，２３−ｒの表面で分散して設けられてもよい。これにより、図３（ａ）〜（ｃ）に示す例と同様、反射素子２３−ｐの反射率を最も高くし、反射素子２３−ｑ、２３−ｒの順で、その反射率を小さくしていくことができる。
【００４０】
続いて、図５は、各反射素子２３−ｉの構成の更に他の例を示す図である。具体的には、図５（ａ）は、反射素子２３−ｐの構成の更に他の例を表し、図５（ｂ）は、反射素子２３−ｑの構成の更に他の例を表し、図５（ｃ）は、反射素子２３−ｒの構成の更に他の例を表す。
【００４１】
本例では、図３、図４に示す例と異なり、反射素子２３−ｐ，２３−ｑ，２３−ｒの表面は全て反射コーティングされる。その代りに、反射素子２３−ｐ，２３−ｑ，２３−ｒの間で、反射コーティングの材料を異ならせる。
【００４２】
図５（ａ）に示すように、反射素子２３−ｐの表面は、全て反射コーティングされる（図中の白地部分）。反射素子２３−ｐにおける反射コーティングの材料としては、反射率が比較的高い、例えば銀等が採用される。
【００４３】
また、図５（ｂ）に示すように、反射素子２３−ｑの表面は、全て反射コーティングされる（図中の梨地部分）。反射素子２３−ｑにおける反射コーティングの材料としては、銀よりも反射率が低い、例えばアルミ等が採用される。
【００４４】
また、図５（ｃ）に示すように、反射素子２３−ｒの表面は、全て反射コーティングされる（図中の斜線部分）。反射素子２３−ｒにおける反射コーティングの材料としては、銀やアルミよりも反射率が低い、例えばロジウム等が採用される。
【００４５】
このように、反射素子２３−ｐ、２３−ｑ、２３−ｒの反射コーティングの材料を異ならせることによっても、反射素子２３−ｐの反射率を最も高くし、反射素子２３−ｑ，２３−ｒの順で、その反射率を小さくしていくことができる。
【００４６】
図６は、車両前方の鉛直投影面に照射された前照灯１（１Ｒ，１Ｌ）の配光パターン４０の一例を表す図である。
【００４７】
ミラーデバイス２０の投影面２１を構成する各反射素子２３−ｉから反射された光は、投影レンズ３０を通じて、上下左右反転された上で車両前方の鉛直投影面に照射される。そのため、図６に示すように、鉛直投影面に形成される配光パターン４０は、投影面２１の中央領域２１１、中間領域２１２、外端領域２１３に対応して、照度が異なる照射領域４１（図中の白地部分），照射領域４２（図中の梨地部分），照射領域４３（図中の斜線部分）により構成される。
【００４８】
即ち、配光パターン４０のうち、中央部に位置する照射領域４１は、反射率が比較的高い反射素子２３−ｐで反射された光が照射されるため、照度が比較的高くなる。また、中央部の外周に位置する照射領域４２は、反射素子２３−ｐより反射率が低い反射素子２３−ｑで反射された光が照射されるため、照射領域４１より照度が低くなる。また、配光パターンの外端部（配光パターン４０のカットライン近傍）に位置する照射領域４３は、反射素子２３−ｑより反射率が更に低い反射素子２３−ｒで反射された光が照射されるため、照射領域４２よりも更に照度が低くなる。
【００４９】
このように、本実施形態では、中央部に位置する照射領域４１から、外側に向けて、照射領域４２，４３の順で照度が低くなるように、配光パターン４０を生成することができる。即ち、配光パターン４０のカットライン近傍である外端部の領域（照射領域４２，４３）の照度を、中央部（照射領域４１）の照度より低くして、配光パターン４０における明部と暗部の境界線（カットライン）を目立たないようにすることができる。また、照射領域４１，４２，４３の順で、段階的に照度を低下させるため、カットラインを更に目立たないようにすることができる。また、本実施形態では、反射素子２３−ｐ，２３−ｑ，２３−ｒの間で、予め反射率を異ならせるように構成するため、従来技術のように、一部の反射素子２３の駆動部における負担を増加させるようなこともない。即ち、ミラーデバイスにおける反射素子の駆動部への負担を増加させることなく、カットラインを目立ちにくくすることができる。
【００５０】
［第２実施形態］
次いで、第２実施形態について、説明する。
【００５１】
第１実施形態では、前照灯１Ｒ，１Ｌの配光パターンが同一である前提のため、ミラーデバイス２０における投影面２１の端部（略正方形の投影面２１の４辺）は、全て、車両前方に照射される配光パターン４０のカットラインに対応する。即ち、投影面２１を構成する反射素子２３−ｉのうち、投影面２１の端部に位置する反射素子２３−ｒから反射される光によりカットラインが形成される。一方、前照灯の構成によっては、ミラーデバイスにおける投影面の端部のうちの一部のみがカットラインに対応する場合も有り得る。以下、本実施形態では、かかる場合について説明する。
【００５２】
まず、図７、図８を参照して、本実施形態に係る前照灯の構成の一例について説明する。
【００５３】
図７は、本実施形態に係る前照灯１Ａ（１ＡＲ、１ＡＬ）に含まれるミラーデバイス２０Ａ（２０Ａａ，２０Ａｂ）の構成の一例を示す図である。具体的には、車両右側の前照灯１ＡＲ、及び車両左側の前照灯１ＡＬのそれぞれに含まれるミラーデバイス２０Ａａ，２０Ａｂを車両前方から見た概略的な正面図である。図８は、車両前方の鉛直投影面に照射された前照灯１Ａ（１ＡＲ，１ＡＬ）の配光パターン５０の一例を表す図である。
【００５４】
図７に示すように、前照灯１ＡＲに含まれるミラーデバイス２０Ａ（２０Ａａ）の投影面２１Ａ（２１Ａａ）は、第１実施形態と同様、中央領域２１１Ａａ、中間領域２１２Ａａ、外端領域２１３Ａａを含む。そして、中央領域２１１Ａａに配置される反射素子２３Ａ（２３Ａａ）は、反射率が最も高く、中間領域２１２Ａａに配置される反射素子２３Ａａは、その次に反射率が高く、外端領域２１３Ａａに配置される反射素子２３Ａａは、最も反射率が低い。同様に、前照灯１ＡＬに含まれるミラーデバイス２０Ａ（２０Ａｂ）の投影面２１Ａ（２１Ａｂ）は、第１実施形態と同様、中央領域２１１Ａｂ、中間領域２１２Ａｂ、外端領域２１３Ａｂを含む。そして、中央領域２１１Ａｂに配置される反射素子２３Ａ（２３Ａｂ）は、反射率が最も高く、中間領域２１２Ａｂに配置される反射素子２３Ａｂは、その次に反射率が高く、外端領域２１３Ａｂに配置される反射素子２３Ａｂは、最も反射率が低い。
【００５５】
図８に示すように、前照灯１Ａは、車両右側の前照灯１ＡＲと車両左側の前照灯１ＡＬのそれぞれが、異なる配光パターンを生成することで、第１実施形態（図７の配光パターン４０）と同様の配光パターン５０を生成する。配光パターン５０は、第１実施形態（配光パターン４０）と同様、中央部に位置する照射領域５１（図中の白地部分）、中央部の外周に位置する照射領域５２（図中の梨地部分）、外端部（配光パターン５０のカットライン近傍）に位置する照射領域５３（図中の斜線部分）により構成される。照射領域５１、照射領域５２、及び照射領域５３は、第１実施形態と同様、中央領域２１１Ａａ，２１１Ａｂ、中間領域２１２Ａａ，２１２Ａｂ、及び外端領域２１３Ａａ，２１３Ａｂに対応する。即ち、配光パターン５０は、照射領域５１，５２，５３の順で照度が低くなるため、第１実施形態と同様の作用・効果を奏する。
【００５６】
前照灯１ＡＲは、配光パターン５０のうち、右側半分に相当する配光パターン５０ａ（照射領域５１ａ，５２ａ，５３ａ）を生成し、前照灯１ＡＬは、左側半分に相当する配光パターン５０ｂ（照射領域５１ｂ，５２ｂ，５３ｂ）を生成する。即ち、配光パターン５０ａの左端部（略方形の配光パターン５０ａの左側の１辺）、及び配光パターン５０ｂの右端部（略方形の配光パターン５０ｂの右側の１辺）は、配光パターン５０におけるカットラインを形成しない。
【００５７】
そのため、ミラーデバイス２０Ａａは、投影面２１Ａａの外端部（略正方形の投影面２１Ａａの４辺）のうち、配光パターン５０ａの左端部に対応する右端部（右側の１辺）において、反射素子２３Ａａの反射率を異ならせる（反射率を低くする）構成を有さない。同様に、ミラーデバイス２０Ａｂは、投影面２１Ａｂの外端部（略正方形の投影面２１Ａｂの４辺）のうち、配光パターン５０ｂの右端部に対応する左端部（左側の１辺）において、反射素子２３Ａｂの反射率を異ならせる（反射率を低くする）構成を有さない。即ち、ミラーデバイス２０Ａは、投影面２１Ａの外端部（略正方形の投影面２１Ａの４辺）のうち、配光パターン５０におけるカットラインに対応する端部に位置する反射素子２３Ａだけ、中央部に位置する反射素子２３Ａより反射率が低い構成を有する。
【００５８】
次に、図９、図１０を参照して、本実施形態に係る前照灯の構成の他の例について説明する。
【００５９】
図９は、本実施形態に係る前照灯１Ｂ（１ＢＲ、１ＢＬ）に含まれるミラーデバイス２０Ｂ（２０Ｂａ，２０Ｂｂ，２０Ｂｃ，２０Ｂｄ）の構成の一例を示す図である。具体的には、車両右側の前照灯１ＢＲ、及び車両左側の前照灯１ＢＬのそれぞれに含まれるミラーデバイス２０Ｂを車両前方から見た概略的な正面図である。図１０は、車両前方の鉛直投影面に照射された前照灯１Ｂ（１ＢＲ，１ＢＬ）の配光パターン６０の一例を表す図である。
【００６０】
図９に示すように、前照灯１ＢＲは、上下方向に並べて配置されるミラーデバイス２０Ｂａ，２０Ｂｂを含む。ミラーデバイス２０Ｂａの投影面２１Ｂ（２１Ｂａ）は、第１実施形態と同様、中央領域２１１Ｂａ、中間領域２１２Ｂａ、外端領域２１３Ｂａを含む。そして、中央領域２１１Ｂａに配置される反射素子２３Ｂ（２３Ｂａ）は、反射率が最も高く、中間領域２１２Ｂａに配置される反射素子２３Ｂａは、その次に反射率が高く、外端領域２１３Ｂａに配置される反射素子２３Ｂａは、最も反射率が低い。同様に、ミラーデバイス２０Ｂｂの投影面２１Ｂ（２１Ｂｂ）は、第１実施形態と同様、中央領域２１１Ｂｂ、中間領域２１２Ｂｂ、外端領域２１３Ｂｂを含む。そして、中央領域２１１Ｂｂに配置される反射素子２３Ｂ（２３Ｂｂ）は、反射率が最も高く、中間領域２１２Ｂｂに配置される反射素子２３Ｂｂは、その次に反射率が高く、外端領域２１３Ｂｂに配置される反射素子２３Ｂｂは、最も反射率が低い。
【００６１】
また、図９に示すように、前照灯１ＢＬは、上下方向に並べて配置されるミラーデバイス２０Ｂｃ，２０Ｂｄを含む。ミラーデバイス２０Ｂｃの投影面２１Ｂ（２１Ｂｃ）は、第１実施形態と同様、中央領域２１１Ｂｃ、中間領域２１２Ｂｃ、外端領域２１３Ｂｃを含む。そして、中央領域２１１Ｂｃに配置される反射素子２３Ｂ（２３Ｂｃ）は、反射率が最も高く、中間領域２１２Ｂｃに配置される反射素子２３Ｂｃは、その次に反射率が高く、外端領域２１３Ｂｃに配置される反射素子２３Ｂｃは、最も反射率が低い。同様に、ミラーデバイス２０Ｂｄの投影面２１Ｂ（２１Ｂｄ）は、第１実施形態と同様、中央領域２１１Ｂｄ、中間領域２１２Ｂｄ、外端領域２１３Ｂｄを含む。そして、中央領域２１１Ｂｄに配置される反射素子２３Ｂ（２３Ｂｄ）は、反射率が最も高く、中間領域２１２Ｂｄに配置される反射素子２３Ｂｄは、その次に反射率が高く、外端領域２１３Ｂｄに配置される反射素子２３Ｂｄは、最も反射率が低い。
【００６２】
図１０に示すように、前照灯１ＢＲのミラーデバイス２０Ｂａ，２０Ｂｂ、及び前照灯１ＢＬのミラーデバイス２０Ｂｃ，２０Ｂｄは、それぞれ、異なる配光パターンを生成することで、第１実施形態と同様の配光パターン６０を生成する。配光パターン６０は、第１実施形態（配光パターン４０）と同様、中央部に位置する照射領域６１（図中の白地部分）、中央部の外周に位置する照射領域６２（図中の梨地部分）、外端部（配光パターン６０のカットライン近傍）に位置する照射領域６３（図中の斜線部分）により構成される。照射領域６１、照射領域６２、及び照射領域６３は、第１実施形態と同様、中央領域２１１Ｂａ，２１１Ｂｂ，２１１Ｂｃ，２１１Ｂｄ、中間領域２１２Ｂａ，２１２Ｂｂ，２１２Ｂｃ，２１２ｄ、及び外端領域２１３Ｂａ，２１３Ｂｂ，２１３Ｂｃ，２１３Ｂｄに対応する。即ち、配光パターン６０は、照射領域６１，６２，６３の順で照度が低くなるため、第１実施形態と同様の作用・効果を奏する。
【００６３】
ミラーデバイス２０Ｂａは、配光パターン６０のうち、右上部分に相当する配光パターン６０ａ（照射領域６１ａ，６２ａ，６３ａ）を生成し、ミラーデバイス２０Ｂｂは、右下部分に相当する配光パターン６０ｂ（照射領域６１ｂ，６２ｂ，６３ｂ）を生成する。また、ミラーデバイス２０Ｂｃは、配光パターン６０のうち、左上部分に相当する配光パターン６０ｃ（照射領域６１ｃ，６２ｃ，６３ｃ）を生成し、ミラーデバイス２０Ｂｄは、左下部分に相当する配光パターン６０ｄ（照射領域６１ｄ，６２ｄ，６３ｄ）を生成する。即ち、配光パターン６０ａの左端部並びに下端部（略方形の配光パターン６０ａの左側並びに下側の２辺）、及び配光パターン６０ｂの左端部並びに上端部（略方形の配光パターン６０ｂの左側並びに上側の２辺）は、配光パターン６０におけるカットラインを形成しない。また、配光パターン６０ｃの右端部並びに下端部（略方形の配光パターン６０ｃの右側並びに下側の２辺）、及び配光パターン６０ｄの右端部並びに上端部（略方形の配光パターン６０ｄの右側並びに上側の２辺）は、配光パターン６０におけるカットラインの形成しない。
【００６４】
そのため、ミラーデバイス２０Ｂａは、投影面２１Ｂａの外端部（略正方形の投影面２１Ｂａの４辺）のうち、配光パターン６０ａの左端部及び下端部に対応する、右端部及び上端部（右側及び上側の２辺）において、反射素子２３Ｂａの反射率を異ならせる（反射率を低くする）構成を有さない。また、ミラーデバイス２０Ｂｂは、投影面２１Ｂｂの外端部（略正方形の投影面２１Ｂｂの４辺）のうち、配光パターン６０ｂの左端部及び上端部に対応する、右端部及び下端部（右側及び下側の２辺）において、反射素子２３Ｂｂの反射率を異ならせる（反射率を低くする）構成を有さない。また、ミラーデバイス２０Ｂｃは、投影面２１Ｂｃの外端部（略正方形の投影面２１Ｂｃの４辺）のうち、配光パターン６０ｃの右端部及び下端部に対応する、左端部及び上端部（左側及び上側の２辺）において、反射素子２３Ｂｃの反射率を異ならせる（反射率を低くする）構成を有さない。また、ミラーデバイス２０Ｂｄは、投影面２１Ｂｄの外端部（略正方形の投影面２１Ｂｄの４辺）のうち、配光パターン６０ｄの右端部及び上端部に対応する、左端部及び下端部（左側及び下側の２辺）において、反射素子２３Ｂｄの反射率を異ならせる（反射率を低くする）構成を有さない。即ち、ミラーデバイス２０Ｂは、投影面２１Ｂの外端部（略正方形の投影面２１Ｂの４辺）のうち、配光パターン６０におけるカットラインに対応する端部に位置する反射素子２３Ｂだけ、中央部に位置する反射素子２３Ｂより反射率が低い構成を有する。
【００６５】
次に、図１１、図１２を参照して、本実施形態に係る前照灯の構成の更に他の例について説明する。
【００６６】
図１１は、本実施形態に係る前照灯１Ｃ（１ＣＲ、１ＣＬ）に含まれるミラーデバイス２０Ｃ（２０Ｃａ，２０Ｃｂ，２０Ｃｃ，２０Ｃｄ，２０Ｃｅ，２０Ｃｆ）の構成の一例を示す図である。具体的には、車両右側の前照灯１ＣＲ、及び車両左側の前照灯１ＣＬのそれぞれに含まれるミラーデバイス２０Ｃを車両前方から見た概略的な正面図である。図１２は、車両前方の鉛直投影面に照射された前照灯１Ｃ（１ＣＲ，１ＣＬ）の配光パターン７０の一例を表す図である。
【００６７】
図１１に示すように、前照灯１ＣＲは、上下方向に並べて配置されるミラーデバイス２０Ｃａ，２０Ｃｂ，２０Ｃｃを含む。ミラーデバイス２０Ｃａの投影面２１Ｃ（２１Ｃａ）は、第１実施形態と同様、中央領域２１１Ｃａ、中間領域２１２Ｃａ、外端領域２１３Ｃａを含む。そして、中央領域２１１Ｃａに配置される反射素子２３Ｃ（２３Ｃａ）は、反射率が最も高く、中間領域２１２Ｃａに配置される反射素子２３Ｃａは、その次に反射率が高く、外端領域２１３Ｃａに配置される反射素子２３Ｃａは、最も反射率が低い。同様に、ミラーデバイス２０Ｃｂの投影面２１Ｃ（２１Ｃｂ）は、第１実施形態と同様、中央領域２１１Ｃｂ、中間領域２１２Ｃｂ、外端領域２１３Ｃｂを含む。そして、中央領域２１１Ｃｂに配置される反射素子２３Ｃ（２３Ｃｂ）は、反射率が最も高く、中間領域２１２Ｃｂに配置される反射素子２３Ｃｂは、その次に反射率が高く、外端領域２１３Ｃｂに配置される反射素子２３Ｃｂは、最も反射率が低い。また、同様に、ミラーデバイス２０Ｃｃの投影面２１Ｃ（２１Ｃｃ）は、第１実施形態と同様、中央領域２１１Ｃｃ、中間領域２１２Ｃｃ、外端領域２１３Ｃｃを含む。そして、中央領域２１１Ｃｃに配置される反射素子２３Ｃ（２３Ｃｃ）は、反射率が最も高く、中間領域２１２Ｃｃに配置される反射素子２３Ｃｃは、その次に反射率が高く、外端領域２１３Ｃｃに配置される反射素子２３Ｃｃは、最も反射率が低い。
【００６８】
また、図１１に示すように、前照灯１ＣＬは、上下方向に並べて配置されるミラーデバイス２０Ｃｄ，２０Ｃｅ，２０Ｃｆを含む。ミラーデバイス２０Ｃｄの投影面２１Ｃ（２１Ｃｄ）は、第１実施形態と同様、中央領域２１１Ｃｄ、中間領域２１２Ｃｄ、外端領域２１３Ｃｄを含む。そして、中央領域２１１Ｃｄに配置される反射素子２３Ｃ（２３Ｃｄ）は、反射率が最も高く、中間領域２１２Ｃｄに配置される反射素子２３Ｃｄは、その次に反射率が高く、外端領域２１３Ｃｄに配置される反射素子２３Ｃｄは、最も反射率が低い。同様に、ミラーデバイス２０Ｃｅの投影面２１Ｃ（２１Ｃｅ）は、第１実施形態と同様、中央領域２１１Ｃｅ、中間領域２１２Ｃｅ、外端領域２１３Ｃｅを含む。そして、中央領域２１１Ｃｅに配置される反射素子２３Ｃ（２３Ｃｅ）は、反射率が最も高く、中間領域２１２Ｃｅに配置される反射素子２３Ｃｅは、その次に反射率が高く、外端領域２１３Ｃｅに配置される反射素子２３Ｃｅは、最も反射率が低い。また、同様に、ミラーデバイス２０Ｃｆの投影面２１Ｃ（２１Ｃｆ）は、第１実施形態と同様、中央領域２１１Ｃｆ、中間領域２１２Ｃｆ、外端領域２１３Ｃｆを含む。そして、中央領域２１１Ｃｆに配置される反射素子２３Ｃ（２３Ｃｆ）は、反射率が最も高く、中間領域２１２Ｃｆに配置される反射素子２３Ｃｆは、その次に反射率が高く、外端領域２１３Ｃｆに配置される反射素子２３Ｃｆは、最も反射率が低い。
【００６９】
図１２に示すように、前照灯１ＣＲのミラーデバイス２０Ｃａ，２０Ｃｂ，２０Ｃｃ、及び前照灯１ＣＬのミラーデバイス２０Ｃｄ，２０Ｃｅ，２０Ｃｆは、それぞれ、異なる配光パターンを生成することで、第１実施形態と同様の配光パターン７０を生成する。配光パターン７０は、第１実施形態（配光パターン４０）と同様、中央部に位置する照射領域７１（図中の白地部分）、中央部の外周に位置する照射領域７２（図中の梨地部分）、外端部（配光パターン７０のカットライン近傍）に位置する照射領域７３（図中の斜線部分）により構成される。照射領域７１、照射領域７２、及び照射領域７３は、第１実施形態と同様、中央領域２１１Ｃａ，２１１Ｃｂ，２１１Ｃｃ，２１１Ｃｄ，２１１Ｃｅ，２１１Ｃｆ、中間領域２１２Ｃａ，２１２Ｃｂ，２１２Ｃｃ，２１２ｄ，２１２Ｃｅ，２１２Ｃｆ、及び外端領域２１３Ｃａ，２１３Ｃｂ，２１３Ｃｃ，２１３Ｃｄ，２１３Ｃｅ，２１３Ｃｆに対応する。即ち、配光パターン７０は、照射領域７１，７２，７３の順で照度が低くなるため、第１実施形態と同様の作用・効果を奏する。
【００７０】
配光パターン７０のうち、ミラーデバイス２０Ｃａは、右上部分に相当する配光パターン７０ａ（照射領域７１ａ，７２ａ，７３ａ）を生成し、ミラーデバイス２０Ｃｂは、右中央部分に相当する配光パターン７０ｂ（照射領域７１ｂ，７２ｂ，７３ｂ）を生成し、ミラーデバイス２０Ｃｃは、右下部分に相当する配光パターン７０ｃ（照射領域７１ｃ，７２ｃ，７３ｃ）を生成する。また、配光パターン７０のうち、ミラーデバイス２０Ｃｄは、左上部分に相当する配光パターン７０ｄ（照射領域７１ｄ，７２ｄ，７３ｄ）を生成し、ミラーデバイス２０Ｃｅは、左中央部分に相当する配光パターン７０ｅ（照射領域７１ｅ，７２ｅ，７３ｅ）を生成し、ミラーデバイス２０Ｃｆは、左下部分に相当する配光パターン７０ｆ（照射領域７１ｆ，７２ｆ，７３ｆ）を生成する。
【００７１】
即ち、配光パターン７０ａの左端部並びに下端部（略方形の配光パターン７０ａの左側及び下側の２辺）、配光パターン７０ｂの左端部、上端部並びに下端部（略方形の配光パターン７０ｂの左側、上側並びに下側の３辺）、及び配光パターン７０ｃの左端部並びに上端部（略方形の配光パターン７０ｃの左側並びに上側の２辺）は、配光パターン７０におけるカットラインを形成しない。また、配光パターン７０ｄの右端部並びに下端部（略方形の配光パターン７０ｄの右側並びに下側の２辺））、配光パターン７０ｅの右端部、上端部並びに下端部（略方形の配光パターン７０ｅの右側、上側並びに下側の３辺）、及び配光パターン７０ｆの右端部並びに上端部（略方形の配光パターン７０ｆの右側並びに上側の２辺）は、配光パターン７０におけるカットラインの形成しない。
【００７２】
そのため、ミラーデバイス２０Ｃａは、投影面２１Ｃａの外端部（略正方形の投影面２１Ｃａの４辺）のうち、配光パターン７０ａの左端部及び下端部に対応する、右端部及び上端部（右側及び上側の２辺）において、反射素子２３Ｃａの反射率を異ならせる（反射率を低くする）構成を有さない。また、ミラーデバイス２０Ｃｂは、投影面２１Ｃｂの外端部（略正方形の投影面２１Ｃｂの４辺）のうち、配光パターン７０ｂの左端部、上端部及び下端部に対応する、右端部、下端部及び上端部（右側、下側及び上側の３辺）において、反射素子２３Ｃｂの反射率を異ならせる（反射率を低くする）構成を有さない。また、ミラーデバイス２０Ｃｃは、投影面２１Ｃｃの外端部（略正方形の投影面２１Ｃｃの４辺）のうち、配光パターン７０ｃの左端部及び上端部に対応する、右端部及び下端部（右側及び下側の２辺）において、反射素子２３Ｃｃの反射率を異ならせる（反射率を低くする）構成を有さない。また、ミラーデバイス２０Ｃｄは、投影面２１Ｃｄの外端部（略正方形の投影面２１Ｃｄの４辺）のうち、配光パターン７０ｄの右端部及び下端部に対応する、左端部及び上端部（左側及び上側の２辺）において、反射素子２３Ｃｄの反射率を異ならせる（反射率を低くする）構成を有さない。また、ミラーデバイス２０Ｃｅは、投影面２１Ｃｅの外端部（略正方形の投影面２１Ｃｅの４辺）のうち、配光パターン７０ｅの右端部、上端部、及び下端部に対応する、左端部、下端部、及び上端部（左側、下側、及び上側の２辺）において、反射素子２３Ｃｅの反射率を異ならせる（反射率を低くする）構成を有さない。また、ミラーデバイス２０Ｃｆは、投影面２１Ｃｆの外端部（略正方形の投影面２１Ｃｆの４辺）のうち、配光パターン７０ｆの右端部及び上端部に対応する、左端部及び下端部（左側及び下側の２辺）において、反射素子２３Ｃｆの反射率を異ならせる（反射率を低くする）構成を有さない。即ち、ミラーデバイス２０Ｃは、投影面２１Ｃの外端部（略正方形の投影面２１Ｃの４辺）のうち、配光パターン７０におけるカットラインに対応する端部に位置する反射素子２３Ｃだけ、中央部に位置する反射素子２３Ｃより反射率が低い構成を有する。
【００７３】
このように、前照灯のミラーデバイスにおける投影面の端部のうちの一部のみが配光パターンのカットラインに対応する場合、投影面の端部のうち、カットラインに対応する端部に位置する反射素子だけ、投影面の中央部に位置する反射素子より反射率を低くする。
【００７４】
なお、図８、図１０、及び図１２に示す配光パターンにおいて、各ミラーデバイス２０Ａ，２０Ｂ，及び２０Ｃが生成する配光パターン同士は、重ならない態様であるが、部分的に重なる態様であってもよい。
【００７５】
以上、本発明を実施するための形態について詳述したが、本発明はかかる特定の実施形態に限定されるものではなく、特許請求の範囲に記載された本発明の要旨の範囲内において、種々の変形・変更が可能である。
【００７６】
１，１Ａ，１Ｂ，１Ｃ    前照灯（車両用灯具）
１０  光源
２０，２０Ａ，２０Ｂ，２０Ｃ  ミラーデバイス
２１，２１Ａ，２１Ｂ，２１Ｃ  投影面
２２  基板
２３，２３Ａ，２３Ｂ，２３Ｃ，２３−ｉ，２３−ｐ，２３−ｑ，２３−ｒ  反射素子
３０  投影レンズ
【図１】
0006481564.tif 000002
【図２】
0006481564.tif 000003
【図３】
0006481564.tif 000004
【図４】
0006481564.tif 000005
【図５】
0006481564.tif 000006
【図６】
0006481564.tif 000007
【図７】
0006481564.tif 000008
【図８】
0006481564.tif 000009
【図９】
0006481564.tif 000010
【図１０】
0006481564.tif 000011
【図１１】
0006481564.tif 000012
【図１２】
0006481564.tif 000013